(57)【要約】【課題】高価な電気掃除機を設置せずに、ハンドレールの摺動面の清掃を行うことを可能にした乗客コンベア用ハンドレールの摺動面清掃装置の提供。【解決手段】上記課題は、走行するハンドレール２の摺動面２Ａに摺接する清掃体によってその摺動面２Ａに付着した塵埃を除去する乗客コンベア用ハンドレールの摺動面清掃装置１において、前記清掃体を、ハンドレール２の摺動面２Ａ上の塵埃をハンドレール２の外方に排出させる笠歯状の回転ブラシ体３とすることで、達成できる。【選択図】図１
2007076762.tif 000002
【特許請求の範囲】
【請求項１】
走行するハンドレールの摺動面に摺接する清掃体によって前記摺動面に付着した塵埃を除去する乗客コンベア用ハンドレールの摺動面清掃装置において、
前記清掃体を、前記摺動面上の塵埃をハンドレールの外方に排出させる笠歯状の回転ブラシ体としたことを特徴とする乗客コンベア用ハンドレールの摺動面清掃装置。
【請求項２】
前記回転ブラシ体の大きさを、一端側がハンドレールの摺動面に接触している状態で、他端側がハンドレールの側周面よりも外方に位置する状態がえられるように設定したことを特徴とする請求項１記載の乗客コンベア用ハンドレールの摺動面清掃装置。
【請求項３】
前記回転ブラシ体に付着した塵埃を取り除く固定ブラシ体を備えてなることを特徴とする請求項１若しくは２記載の乗客コンベア用ハンドレールの摺動面清掃装置。
【請求項４】
前記回転ブラシ体によってハンドレールの外方に排出された塵埃を回収する回収容器体を設けたことを特徴とする請求項１、２若しくは３記載の乗客コンベア用ハンドレールの摺動面清掃装置。
【請求項５】
走行するハンドレールの摺動面に摺接して回転する笠歯状の回転ブラシ体と、この回転ブラシ体を支持する回転ブラシ体支持体と、走行するハンドレールの表面側を支える支えローラーと、この支えローラーを支持する支えローラー支持体と、前記回転ブラシ体に付着した塵埃を取り除く固定ブラシ体と、前記回転ブラシ体によってハンドレールの外方に排出された塵埃を回収する回収容器体とを、少なくとも具備してなることを特徴とする乗客コンベア用ハンドレールの摺動面清掃装置。
【発明の詳細な説明】
【技術分野】
【０００１】
本発明は、エレベーターなどの乗客コンベア用ハンドレールの摺動面清掃装置に関するものである。
【背景技術】
【０００２】
一般に、乗客コンベアのハンドレール摺動走行面上にゴミが付着すると、ターミナル部など摺動抵抗が大きい部位においては、ハンドレール走行ガイド部材を摩耗させてしまい、このガイド部材の交換に大きなコストが掛かっていた。またガイド部材が摩耗するとエッジが発生し、ハンドレール自体も損傷させ、ハンドレールの停止事故につながる懸念があった。よって従来では、この種の乗客コンベア用ハンドレールの摺動面清掃装置として、走行する乗客コンベア用ハンドレールの摺動面に清掃ブラシを接触させて、その摺動面に付着した塵埃を取り除くようにしたものが提案されていた（例えば、特許文献１及び特許文献２を参照）。
【特許文献１】特開平８−４８４８４号公報（段落番号００２２〜段落番号００２７、図４〜図６）
【特許文献２】特開平５−２４６６７９号公報（段落番号０００９〜段落番号００１４、図１）
【発明の開示】
【発明が解決しようとする課題】
【０００３】
しかしながら、上記特開平８−４８４８４号公報及び特開平５−２４６６７９号公報などに記載された乗客コンベア用ハンドレールの摺動面清掃装置では、走行する乗客コンベア用ハンドレールの摺動面に清掃ブラシを接触させて取り除いた塵埃を、電気掃除機で吸引する必要があった。そのため、ハンドレールの摺動面を掃除するためには、高価な電気掃除機を用意して、乗客コンベアに設置しなければならず、清掃作業費の増加を招いてしまうという問題があった。また、ハンドレールの摺動面の清掃時には、乗客コンベアを停止させなければならない問題があった。
【０００４】
本発明は、上述した従来技術における実状からなされたもので、その目的は、高価な電気掃除機を設置せずに、ハンドレールの摺動面の清掃を行うことを可能にした乗客コンベア用ハンドレールの摺動面清掃装置を提供することにある。
【課題を解決するための手段】
【０００５】
上記目的を達成するために、本発明は、走行するハンドレールの摺動面に摺接する清掃体によって前記摺動面に付着した塵埃を除去する乗客コンベア用ハンドレールの摺動面清掃装置において、前記清掃体を、前記摺動面上の塵埃をハンドレールの外方に排出させる笠歯状の回転ブラシ体としたことを特徴としている。
【０００６】
さらに、本発明は、前記回転ブラシ体の大きさを、一端側がハンドレールの摺動面に接触している状態で、他端側がハンドレールの側周面よりも外方に位置する状態がえられるように設定したことを特徴としている。
【０００７】
さらに、本発明は、前記回転ブラシ体に付着した塵埃を取り除く固定ブラシ体を備えてなることを特徴としている。
【０００８】
さらに、本発明は、前記回転ブラシ体によってハンドレールの外方に排出された塵埃を回収する回収容器体を設けたことを特徴としている。
【０００９】
さらに、本発明は、走行するハンドレールの摺動面に摺接して回転する笠歯状の回転ブラシ体と、この回転ブラシ体を支持する回転ブラシ体支持体と、走行するハンドレールの表面側を支える支えローラーと、この支えローラーを支持する支えローラー支持体と、前記回転ブラシ体に付着した塵埃を取り除く固定ブラシ体と、前記回転ブラシ体によってハンドレールの外方に排出された塵埃を回収する回収容器体とを、少なくとも具備してなる乗客コンベア用ハンドレールの摺動面清掃装置としたことを特徴としている。
【発明の効果】
【００１０】
本発明によれば、電気掃除機を用いることなく、走行するハンドレールの摺動面上の塵埃を、乗客コンベアの稼動中、自動的に、ハンドレールの外方に排出させることのできる乗客コンベア用ハンドレールの摺動面清掃装置がえられた。また、本発明によれば、走行するハンドレールの摺動面上の塵埃を、確実にハンドレールの外方に排出させることのできる乗客コンベア用ハンドレールの摺動面清掃装置がえられた。また、本発明によれば、回転ブラシ体に付着した塵埃を効率よく、取り除くことのできる乗客コンベア用ハンドレールの摺動面清掃装置がえられた。また、本発明によれば、ハンドレールの外方に排出させた塵埃を、フレーム体内のオイルパン上に落下させることなく、回収可能な乗客コンベア用ハンドレールの摺動面清掃装置がえられた。
【発明を実施するための最良の形態】
【００１１】
以下、本発明の実施形態に係わる乗客コンベア用ハンドレールの摺動面清掃装置を、図１から図５に基づいて、詳説する。図１は、本発明の一実施形態に係わる乗客コンベア用ハンドレールの摺動面清掃装置を、乗客コンベアに設置した状態を示す全体構成図である。図２は、本発明の一実施形態に係わる乗客コンベア用ハンドレールの摺動面清掃装置を設置する乗客コンベアの概略構成図である。図３は、本発明の一実施形態に係わる乗客コンベア用ハンドレールの摺動面清掃装置の要部拡大図である。図４は、本発明の一実施形態に係わる乗客コンベア用ハンドレールの摺動面清掃装置の回転ブラシ体とハンドレールの摺動面との関係を説明する説明図である。図５は、本発明の他実施形態に係わる乗客コンベア用ハンドレールの摺動面清掃装置を、乗客コンベアに設置した状態を示す全体構成図である。
【００１２】
図１に示す本発明の一実施形態に係わる乗客コンベア用ハンドレールの摺動面清掃装置１は、走行するハンドレール２の摺動面２Ａに摺接する清掃体となる回転ブラシ体３と、この回転ブラシ体３を支持する鋼板製の回転ブラシ体支持体４と、走行するハンドレール２の表面側２Ｂを支える支えローラー５と、この支えローラー５を支持する鋼板製の支えローラー支持体６とを、少なくとも有しており、走行するハンドレール２の摺動面２Ａに摺接する回転ブラシ体３によって、ハンドレール２の摺動面２Ａに付着した塵埃を除去する構成にしてある。なお、ハンドレール２の摺動面２Ａに付着した塵埃には、金属や樹脂の摩耗粉などが含まれている。
【００１３】
ハンドレール２を装着したエレベーターなどからなる乗客コンベア７は、図２に示すように、鋼材などからなるフレーム体８と、このフレーム体８内の上部に収納された駆動機９と、この駆動機９の近くに設置した駆動側スプロケット１０と、フレーム体８内の下部に収納された従動側スプロケット１１と、駆動側スプロケット１０及び従動側スプロケット１１に巻装された踏段駆動用チェーン１２と、ハンドレール２を走行させるためのハンドレール駆動装置１３と、ハンドレール駆動装置１３及び駆動側スプロケット１０に設けたハンドレール用スプロケット１４に巻装されたハンドレール駆動用チェーン１５と、図示しない踏段の左右に立設させた欄干１６とを備えている。乗客コンベア７のハンドレール２の摺動面を掃除する場合には、図２に示す位置に、２個の摺動面清掃装置１が設置される。図２に示す位置では、ハンドレール２は、そのハンドレール２の摺動面２Ａが、図１に示すように、上向きになっている。ハンドレール２は、ガイド体１６Ａ上を摺動して走行するようにしてある。
【００１４】
回転ブラシ体３は、図１に示すように、笠歯状（切頭円錐状）とすることにより、ハンドレール２が走行することで回転させられて摺動面２Ａ上の塵埃Ｗが取り除かれた後、その塵埃Ｗがハンドレール２の外方に排出させられる機能を有している。回転ブラシ体３は、図１に示すように、ブラシ軸３Aを有し、このブラシ軸３Aの先端側に、図示しない軸受によって、回転自在に設けられている。ブラシ軸３Ａの後端側は、ナット１７などによって、回転ブラシ体支持体４に固定される。
【００１５】
回転ブラシ体支持体４は、フレーム体８に取り付けるための水平平面部４Ａと、垂直平面部４Ｂと、折り曲げ平面部４Ｃとからなっている。回転ブラシ体支持体４の折り曲げ角度Ｒは、回転ブラシ体３の傾斜面部３Ｂの全体がハンドレール２の摺動面２Ａに当接するように、すなわち、回転ブラシ体３の傾斜面部３Ｂとハンドレール２の摺動面２Ａが平行となるように設定されている。
【００１６】
支えローラー５は、ハンドレール２のたわみを防止する機能を有し、回転ブラシ体３に対向して、ハンドレール２の表面側２Ｂに設置される。支えローラー５は、図１に示すように、ローラー軸５Aを有し、このローラー軸５Aの先端側に、回転自在に設けられている。ローラー軸５Aの後端側は、ナット１８などによって、支えローラー支持体６に固定される。支えローラー支持体６は、フレーム体８に取り付けるための水平平面部６Ａと、ローラー軸５Aの後端側を取り付けるための垂直平面部６Ｂとからなっている。
【００１７】
回転ブラシ体３と支えローラー５は、予め回転ブラシ体３を固定してなる回転ブラシ体支持体４の水平平面部４Ａと、予め支えローラー５を固定してなる支えローラー支持体６の水平平面部６Ａを、フレーム体８にボルト１９などによって、締結することにより、フレーム体８に着脱可能に取り付けられるようにしてある。また、回転ブラシ体３と支えローラー５が、回転ブラシ体支持体４と支えローラー支持体６によって、フレーム体８に取り付けられた状態では、図１に示すように、回転ブラシ体３の傾斜面部３Ｂがハンドレール２の摺動面２Ａに当接すると共に、支えローラー５の外周面がハンドレール２の表面側２Ｂに当接するように設定されている。
【００１８】
回転ブラシ体３は、図３に示すように、その回転ブラシ体３の傾斜面部３Ｂにおけるハンドレール２の摺動面２Ａに接触内端部Ｐ１から、その回転ブラシ体３の傾斜面部３Ｂにおける外端部Ｐ２までの寸法Ｌ１が、接触内端部Ｐ１からハンドレール２の耳部までの寸法Ｌ２よりも大きくなるように設定されている。本実施形態では、回転ブラシ体３の大きさは、図３に示すように、一端側（接触内端部Ｐ１側）がハンドレール２の摺動面２Ａに接触している状態で、他端側（外端部Ｐ２側）がハンドレール２の側周面２Ｃよりも外方に位置する状態がえられるように設定されている。
【００１９】
回転ブラシ体３の傾斜面部３Ｂがハンドレール２の摺動面２Ａに接触した状態で、ハンドレール２を走行させると、回転ブラシ体３は、ブラシ軸３Aを回転軸として回転する。そして、その回転する回転ブラシ体３の傾斜面部３Ｂの周速度は、回転ブラシ体３の直径の差によって、傾斜面部３Ｂの場所によって、異なる。そのために、回転ブラシ体３は、図４に示す傾斜面部３ＢにおけるＫ１点の周速度（Ｖ１）と傾斜面部３ＢにおけるＫ２点の周速度（Ｖ２）が相違し、その周速度差（Ｖ２−Ｖ１）によって、スティックスリップしながら、回転することになる。すなわち、通常の円筒形状のブラシでは周速度差が得られず十分な清掃性能を得られないが、本発明では、笠歯状のブラシとししたため、この上記スティックスリップによるブラッシング効果によって、ハンドレール２の摺動面２Ａに付着した硬い塵埃Ｗ１を、円滑に取り除くことができる。またこの周速度差は微小であることから、ハンドレールが損傷することもない。
【００２０】
上記摺動面清掃装置１の構成によれば、ハンドレール２を走行させると、ハンドレール２の摺動面２Ａに回転ブラシ体３の傾斜面部３Ｂが接触しているので、回転ブラシ体３がブラシ軸３Aを回転軸として自動的に回転し、かつ、ハンドレール２の表面側２Ｂに支えローラー５が接触しているので、ローラー軸５Aを回転軸として自動的に回転する。そして、回転ブラシ体３が回転すると、ハンドレール２の摺動面２Ａに付着している塵埃が取り除かれて、回転ブラシ体３の遠心力によって、ハンドレール２の外方に、自動的に排出される。
【００２１】
さらに、上記摺動面清掃装置１の構成によれば、支えローラー５によって、ハンドレール２の下方へのたわみが抑えられると共に、回転ブラシ体３の傾斜面部３Ｂの周速度に相違によるブラッシング効果によって、ハンドレール２の摺動面２Ａに付着した塵埃の除去が効率的に行われる。しかも、ハンドレール２の摺動面２Ａに接触している回転ブラシ体３及びハンドレール２の表面側２Ｂに接触している支えローラー５は、ハンドレール２が走行すると回転するので、ハンドレール２の摺動面２Ａ及び表面側２Ｂの損傷が最小限に抑えられる。したがって、摺動面清掃装置１を乗客コンベア７に、常時、取り付けて置くことが可能になる。
【００２２】
さらに、上記摺動面清掃装置１では、図１及び図３において、ハンドレール２の左耳部下方Ｘ１に回転ブラシ体３の傾斜面部３Ｂが挿入されるように、乗客コンベア７のフレーム体８に取り付けるようにしているが、ハンドレール２の右耳部下方Ｘ２に回転ブラシ体３の傾斜面部３Ｂが挿入されるように、摺動面清掃装置１を乗客コンベア７のフレーム体８に取り付けるようにしてもよい。
【００２３】
さらに、摺動面清掃装置１を２個設けて、一方の摺動面清掃装置１を、ハンドレール２の左耳部下方Ｐ１に回転ブラシ体３の傾斜面部３Ｂが挿入されるように乗客コンベア７のフレーム体８に取り付け、かつ、他方の摺動面清掃装置１を、ハンドレール２の右耳部下方Ｐ２に回転ブラシ体３の傾斜面部３Ｂが挿入されるように乗客コンベア７のフレーム体８に取り付けようにしてもよい。このようにすれば、ハンドレール２の摺動面２Ａ側の清掃を、ハンドレール２の左右両耳部の下方に亘って幅広く行うことができる。
【００２４】
図５は、本発明の他実施形態に係わる乗客コンベア用ハンドレールの摺動面清掃装置を示す。図５において、図１〜図４と同一符号は同一内容を表している。図５に示す摺動面清掃装置２０では、回転ブラシ体３に付着した塵埃を取り除く固定ブラシ体２１と、回転ブラシ体３によってハンドレール２の外方に排出された塵埃を回収する回収容器体２２が設けられている。
【００２５】
回収容器体２２は、図５に示すように、支えローラー支持体６にボルト２３によって、着脱可能に取り付けられている。回収容器体２２は、図５に示すように、少なくとも、ハンドレール２の下方及び右側方を遮断する形状を有しており、回転ブラシ体３によってハンドレール２の外方に排出されてきた塵埃を収納する機能を備えている。
【００２６】
固定ブラシ体２１は、図５に示すように、回収容器体２２の内側壁に取り付けられており、回転ブラシ体３の傾斜面部３Ｂに常時接触するようにしてある。そのために、回転ブラシ体３の傾斜面部３Ｂが回転すると、その傾斜面部３Ｂが固定ブラシ体２１によってブラッシングされるので、回転ブラシ体３に付着した塵埃が自動的に除去されて、回収容器体２２内に落下する。これにより、回転ブラシ体３によってハンドレール２の摺動面２Aから排出されてきた塵埃が、フレーム体８内のオイルパン上に飛散するのを防止している。またさらに、回転ブラシ体３に付着した塵埃がハンドレール２の摺動面２Ａに戻るのを防止している。
【図面の簡単な説明】
【００２７】
【図１】本発明の一実施形態に係わる乗客コンベア用ハンドレールの摺動面清掃装置を、乗客コンベアに設置した状態を示す全体構成図である。
【図２】本発明の一実施形態に係わる乗客コンベア用ハンドレールの摺動面清掃装置を設置する乗客コンベアの概略構成図である。
【図３】本発明の一実施形態に係わる乗客コンベア用ハンドレールの摺動面清掃装置の要部拡大図である。
【図４】本発明の一実施形態に係わる乗客コンベア用ハンドレールの摺動面清掃装置の回転ブラシ体とハンドレールの摺動面との関係を説明する説明図である。
【図５】本発明の他実施形態に係わる乗客コンベア用ハンドレールの摺動面清掃装置を、乗客コンベアに設置した状態を示す全体構成図である。
【符号の説明】
【００２８】
１    摺動面清掃装置（一実施形態）
２    ハンドレール
２Ａ  摺動面
２Ｂ  表面側
２Ｃ  側周面
３    回転ブラシ体（清掃体）
３Ａ  ブラシ軸
３Ｂ  傾斜面部
４    回転ブラシ体支持体
４Ａ  水平平面部
４Ｂ  垂直平面部
４Ｃ  折り曲げ平面部
５    支えローラー
６    支えローラー支持体
７    乗客コンベア
８    フレーム体
９    駆動機
１０  駆動側スプロケット
１１  従動側スプロケット
１２  踏段駆動用チェーン
１３  ハンドレール駆動装置
１４  ハンドレール用スプロケット
１５  ハンドレール駆動用チェーン
１６  欄干
２０  摺動面清掃装置（他実施形態）
２１  固定ブラシ体
２２  回収容器体
【図１】
2007076762.tif 000003
【図２】
2007076762.tif 000004
【図３】
2007076762.tif 000005
【図４】
2007076762.tif 000006
【図５】
2007076762.tif 000007